(57)【要約】【課題】掃除機用サイクロン集塵装置の筒状容器の筒状壁の軸線と直角な一断面における一方向の寸法を小さくすることにより、電気掃除機の小型化又はコンパクト化を可能とする。【解決手段】塵埃分離室を構成する筒状容器と、筒状容器内に旋回空気流を形成するように空気を導入する吸気口と、筒状容器内の中心部に配設された筒状の排気筒と、排気筒の筒状壁に設けられた排気孔とを設ける。そして、前記筒状容器の筒状壁を、軸線に直角な一断面における一方向が最長寸法であり、この方向と直交する方向が最短寸法である扁平形状とする。【選択図】        図６
2004147762.tif 000002
【特許請求の範囲】
【請求項１】
塵埃分離室を構成する筒状容器と、筒状容器内に旋回空気流を形成するように空気を導入する吸気口と、筒状容器内の中心部に配設された筒状の排気筒と、排気筒の筒状壁に設けられた排気孔とを備え、前記筒状容器の筒状壁は、軸線に直角な一断面における一方向が最長寸法であり、この方向と直交する方向が最短寸法である扁平形状とされてなる掃除機用サイクロン集塵装置。
【請求項２】
前記排気筒は前記筒状容器の一端側から中間部に至るように配置され、さらに、前記排気筒は、筒状容器の中間部側が末広がり状に広げられ、広げられた端部と前記筒状容器の内壁面との間に環状空間を形成するように形成され、前記筒状容器は、排気筒の末広がり側に塵埃収集用の空間を形成してなる請求項１記載の掃除機用サイクロン集塵装置。
【請求項３】
前記筒状容器の筒状壁は、対向する半円筒壁部間を平面壁で結合した形状である請求項１又は２記載の掃除機用サイクロン集塵装置。
【請求項４】
前記排気筒は、前記筒状容器の筒状壁面との間に略一定寸法の間隔を有する筒状形状として形成され、前記排気孔は、排気筒の筒状壁における最長寸法方向の中心線を中心とする所定幅部分に形成された複数の丸孔からなる請求項１〜３の何れか１項記載の掃除機用サイクロン集塵装置。
【請求項５】
前記吸気口は、筒状容器に流入される空気が最短寸法方向に導入されるように筒状容器の筒状壁に開設されてなる請求項１〜４の何れか１項記載の掃除機用サイクロン集塵装置。
【請求項６】
請求項１〜５の何れか１項記載の掃除機用サイクロン集塵装置を用いた電気掃除機。
【請求項７】
床用吸込具と、床用吸込具に対し起倒自在に取り付けられた掃除機本体とを備えたアップライト型掃除機において、床用吸込具に請求項１〜６の何れか１項記載の掃除機用サイクロン集塵装置が、筒状容器の軸を水平方向として取り付けられてなるアップライト型電気掃除機。
【発明の詳細な説明】
【０００１】
【発明の属する技術分野】
本発明は電気掃除機に関する。より詳しくは、本発明は、掃除機に吸入された空気中の塵埃を遠心分離して集める掃除機用サイクロン集塵装置及びこれを用いた電気掃除機に関する。
【０００２】
【従来の技術】
電気掃除機に吸入された空気中の塵埃を分離して集める集塵装置として、従来は使い捨て型の袋状塵埃フィルター（集塵袋）が多く用いられている。しかし、この方式では、集塵袋に塵埃がいっぱい溜まると、その都度集塵袋を新しい集塵袋と取り替えなければならず不経済であるという問題があった。そこで、この問題を解決する電気掃除機としてサイクロン集塵装置が開発されてきた。
【０００３】
サイクロン集塵装置は、一般的には、特許文献１、特許文献３などに記載されているように吸気口から空気を流入させ、流入した空気を旋回させて空気中の塵埃を遠心分離する塵埃分離室を形成する円筒状容器と、この円筒状容器の外側に形成された塵埃受け部（塵埃収集室）を備えたものである。
【０００４】
特許文献１は、アップライト型電気掃除機であって、床用吸込具と、床用吸込具に対し起倒自在に取り付けられた、モータ、コードリール及び上述のようなサイクロン集塵装置を内蔵した掃除機本体とを備えていた。このような電気掃除機では、円筒状容器の径方向寸法が大きいため、サイクロン集塵装置が大きくなり、かつ重量も重くなるため操作がし難くなるという問題があった。なお、前記円筒状容器の径方向寸法を小さくすると、遠心分離効果が小さくなり集塵効果が小さくなるので、前記円筒状容器の径方向寸法を小さくすることには制限がある。
【０００５】
また、特許文献２は、同じくアップライト型電気掃除機であって、床用吸込具と、床用吸込具に対し起倒自在に取り付けられた、モータ及びコードリールを内蔵した掃除機本体とを備え、床用吸込具に集塵装置として集塵袋を用いたものであるが、集塵装置としての集塵袋の高さ寸法が大きく、床用吸込具が高くなり掃除機保管時の姿勢で安定性に欠けるという問題があった。
【０００６】
また、特許文献３は、キャニスタ型電気掃除機であって、掃除機本体に車輪が取り付けられ、この車輪を用いて掃除機本体が床面を転動し、吸入ブラシを床面に沿って移動させるタイプであって、掃除機本体内に前述のようなサイクロン集塵装置を円筒状の軸心を垂直方向にして設けられていた。しかし、サイクロン集塵装置の高さ寸法が大きいため掃除機本体が嵩張り、重量も重くなるため電気掃除機の重心位置が高くなり、デザイン上好ましくない場合が多く、また使い勝手が悪いという問題があった。
【０００７】
【特許文献１】
特開２００２−５１９４７号公報
【特許文献２】
特開２００１−６１７２０号公報
【特許文献３】
特開２００２−５１９５１号公報
【０００８】
【発明が解決しようとする課題】
このような従来の電気掃除機の変遷から、塵埃分離室を構成する円筒状容器のの径方向寸法を大きくすることを抑制しながら、所定の集塵効果を確保可能としたサイクロン集塵装置の開発について高い要望のあることが分かった。
【０００９】
本発明は、このような従来技術に存在する問題点に鑑みされたものである。その目的とするところは、掃除機用サイクロン集塵装置の筒状容器の筒状壁の軸線と直角な一断面における一方向の寸法を小さくすることにより、電気掃除機の小型化又はコンパクト化を可能とすることにある。
【００１０】
【課題を解決するための手段】
上記課題を解決するために、本発明に係る掃除機用サイクロン集塵装置は、塵埃分離室を構成する筒状容器と、筒状容器内に旋回空気流を形成するように空気を導入する吸気口と、筒状容器内の中心部に配設された筒状の排気筒と、排気筒の筒状壁に設けられた排気孔とを備え、前記筒状容器の筒状壁は、軸線に直角な一断面における一方向が最長寸法であり、この方向と直交する方向が最短寸法である扁平形状とされてなるものである。
【００１１】
このように構成することにより、筒状容器が扁平になる。したがって、サイクロン集塵装置を掃除機本体に組み込む場合に掃除機本体の外径寸法を小さくしたり、床用吸込具に組み込む場合における床用吸込具の高さを低くしたりすることができ、掃除機の小型化又はコンパクト化を図ることができる。また、塵埃収集室の容積も十分に確保することができる。
【００１２】
また、前記排気筒を前記筒状容器の一端側から中間部に至るように配置し、さらに、前記排気筒を、筒状容器の中間部側が末広がり状に広げられ、広げられた端部と前記筒状容器の内壁面との間に環状空間を形成するように形成し、前記筒状容器の排気筒の末広がり側に塵埃収集用の空間を形成してもよい。
このように構成すると、排気筒の末広がり側端部を境として、排気筒側に空気中の塵埃を遠心分離する塵埃分離室が形成され、末広がり側に塵埃収集室が形成される。したがって、塵埃分離室と塵埃収集室とが扁平状に形成された筒状容器の筒状壁内において軸方向に並べて形成されることになり、サイクロン集塵装置をより一層扁平に形成することが可能となる。
【００１３】
また、筒状容器の筒状壁を、対向する半円筒壁部間を平面壁で結合した形状としてもよい。
このように構成すると、形状が単純化されるので製作が容易になる。また、このように構成すると、半円筒壁部において空気が旋回され、空気に遠心力が有効に作用するため、扁平形状でありながら塵埃を効率よく遠心分離させることが可能となる。
【００１４】
また、上記掃除機用サイクロン集塵装置において、前記排気筒を、筒状容器の筒状壁面との間に略一定寸法の間隔を有する筒状形状とし、前記排気孔を、この排気筒の筒状壁における最長寸法方向の中心線を中心とする所定幅部分に形成した複数の丸孔から構成するようにしてもよい。
このように構成すると、排気孔を略最長方向に延びる壁面にのみ形成することができるので、排気孔を形成する全ての丸孔を最短寸法方向に向けることが容易になる。すなわち、上記のような排気筒を樹脂成形品とするための成形型を最短寸法方向の二つ割りの割り型とし、この型の割り面上に最短寸法方向に突出した排気孔成形部分を形成することで、容易に排気孔を形成する全ての丸孔を最短寸法方向に向けることができる。
【００１５】
また、吸気口を、筒状容器に流入される空気が最短寸法方向に導入されるように筒状容器の筒状壁に開設してもよい。
このように構成すると、筒状容器に流入された塵埃を含む空気が直ちに遠心分離作用を受けるため、塵埃が排気孔に吸込まれる前に分離される割合が大きくなる。したがって、排気筒の排気孔や排気出口部などに設けられるフィルターの目詰まりを緩和することができる。
【００１６】
また、本発明に係る電気掃除機は、上記のような掃除機用サイクロン集塵装置を用いたものであるので、サイクロン集塵装置収納部分を小型化又はコンパクト化することが可能になり、取り扱い性が向上する。
【００１７】
特に、床用吸込具と、床用吸込具に対し起倒自在に取り付けられた掃除機本体とを備えたアップライト型電気掃除機において、上記の掃除機用サイクロン集塵装置を、筒状容器の軸を水平方向として床用吸込具に組み込んでもよい。
このように構成すると、床用吸込具の高さを低くすることが可能になり、保管状態における電気掃除機の安定性が良好となる。
【００１８】
【発明の実施の形態】
以下、本発明をアップライト型電気掃除機に具体化した実施の形態につき図面に基づいて説明する。図１は本実施の形態に係るアップライト型電気掃除機の使用時の側面図である。図２は同電気掃除機の保管時の側面図である。図３は同電気掃除機の保管時の正面図である。図４は同電気掃除機の保管時の平面図である。図５は、同電気掃除機を、把手パイプを取り外してハンディタイプとしたときの、使用時の側面図である。図６は、同電気掃除機の、把手パイプを取り外してハンディタイプとしたときの縦断面図である。図７は、同電気掃除機の、把手パイプを取り外してハンディタイプとしたときの、サイクロン集塵装置取外し時の側面図である。図８は、同電気掃除機のサイクロン集塵装置を最短寸法方向に切断した断面図である。図９は、同電気掃除機のサイクロン集塵装置を最長寸法方向に切断した断面図である。図１０は、同電気掃除機の床用吸込具の水平断面図である。図１１は、同掃除機用サイクロン集塵装置における排気孔の説明図である。図１２は、同掃除機用サイクロン集塵装置における排気孔の参考説明図である。図１３は、同掃除機用サイクロン集塵装置から塵埃を棄てるために排気筒及び分離部を取り外す途中の状態図である。図１４は、図１３において排気筒及び分離部が完全に取り外された状態図である。
【００１９】
本実施の形態に係るアップライト型電気掃除機は、図１〜図４に示すように、床用吸込具１と床用吸込具１に対して起倒自在に連結された掃除機本体２を備えている。また、掃除機本体２の上部にはハンドル部４が取り付けられている。また、ハンドル部４に対し、把手パイプ５が取付け取外し自在に設けられ、この把手パイプ５を介して操作用の把手部６が設けられている。また、本実施の形態のアップライト型電気掃除機は、図１〜図４に示すようにこの把手部６を把持して使用することができるが、図５〜図７に示すように把手パイプ５を取り外し、掃除機本体２のハンドル部４を把持してハンディタイプとしても使用することもできる。
【００２０】
床用吸込具１は、前端の両側に前車輪１１を、後端の両側に後車輪１２をそれぞれ備え、把手部３の操作力により前後方向に移動させることができるように構成されている。
また、床用吸込具１は、図１０に示されるように、前方部分には回転ブラシ１３を備えた吸込口１４が形成されている。また、吸込口１４の後側中央部分には連結口１５が設けられ、この連結口１５を介して吸気口７２が連結されるようにサイクロン集塵装置７が設けられている。また、このサイクロン集塵装置７の排気出口部７１は右側に形成された連絡通路１６を介し、後方部のＬ字形連結管１７に接続されている。なお、図７に示されるように、サイクロン集塵装置７は取付け及び取外しが自在となるように床用吸込具１に取り付けられている。また、この連結管１７は、床用吸込具１の後部において垂直方向に回転自在に取り付けられている。
【００２１】
掃除機本体２は、図６に示すように、その内部が補強用の隔壁２１により上部及び下部に区画されている。そして、下部に形成される収納室２２にはモータ２３及び吸引ファン２４が収納され、上部に形成される収納室２５にはコードリール２６が収納されている。
【００２２】
床用吸込具１と掃除機本体２とは、床用吸込具１の後方部に回転自在に取り付けられている連結管１７にベンド２７を介して連結されている。これにより、掃除機本体２は床用吸込具１に対し起倒自在に回動可能とされている。本実施の形態に係るアップライト型電気掃除機は、図１、図５のような使用状態以外に、連結管１７の回動軸を支点として掃除機本体２を床用吸込具１に対して垂直に起立させ、掃除機本体２が床用吸込具１の上方に位置する保管状態（図２、図６参照）とすることができる。また、本実施の形態に係る電気掃除機は、掃除機本体２を床面側に傾動させて床用吸込具１に平行な状態、すなわち、サイクロン集塵装置７を交換するときの状態（図７参照）とすることもできる。
【００２３】
掃除機本体２は、前側ケース３１と、カバー３３と、前側ケース３１に嵌着される後側ケース３２とに分割される。前側ケース３１には、図５及び図６に示されるように把手基部３４が一体に形成されており、前記カバー３３はこの把手基部３４に嵌着されている。
前述のハンドル部４は、把手基部３４にカバー３３を嵌着することにより形成されている。
後側ケース３２には、予めベンド２７が一体成型されたリアカバー３５が嵌着されている。なお、前側ケース３１の側面には、サイクロン集塵装置７で除塵された空気を排出するスリット２８が設けられている（図１等参照）。
【００２４】
サイクロン集塵装置７は、図８、図９に示すように、筒状容器７３と、筒状容器７３の内部の中心部において筒状容器７３の一端側から中間部に至るように配設された筒状の排気筒７４と、排気筒７４の中間部側が末広がり状に広げられ、広げられた端部が筒状容器７３の壁面との間に環状空間７５ａを形成するように形成された分離部７５と、排気筒７４の他端に形成された排気出口部７１と、排気出口部７１に設けられたフィルター７８などから構成されている。また、前記吸気口７２は、筒状容器７３に流入する空気流の方向が最短寸法方向となるように設けられている。
【００２５】
筒状容器７３は、筒状の樹脂一体成形品であって、その筒状壁は、対向する半円筒壁７３ａ、７３ｂ部間を平面壁７３ｃ、７３ｄで結合した形状に形成されている。また、半円筒壁７３ａ、７３ｂ部の中心部において筒状の壁面に対し、接線方向に空気を導入する吸気口７２が形成されている。なお、筒状容器７３の筒状壁は、軸線に直角な一断面における一方向が最長寸法であり、この方向と直交する方向が最短寸法である扁平筒状壁であればよく、この実施の形態のような形状に限定されるものではない。したがって、断面楕円形の筒状壁であってもよい。
【００２６】
筒状の排気筒７４は、樹脂一体成形品であって、筒状容器７３の筒状壁面との間に略一定寸法の間隔を有する筒状形状とされている。より具体的には、本実施の形態の場合は筒状容器７３と同様に、対向する半円筒壁７４ａ、７４ｂ部間を平面壁７４ｃ、７４ｄで結合した形状に形成されている。そして、この排気筒７４の筒状壁における最長寸法方向の中心線を中心とする所定幅部分、すなわち、この実施の形態では中央部の平面壁７４ｃ、７４ｄ部分に複数の丸孔８１ａを備えた排気孔８１が形成されている。なお、この排気孔８１を形成している各丸孔８１ａは、丸孔８１ａの孔方向が全て最短寸法方向に向くように形成されている。
【００２７】
排気筒７４と分離部７５とは一体に成形されている。排気筒７４の排気出口部７１は、筒状容器７３と同程度の直径とされているが、半径が異なる２段に形成されている。出口開放側の大径部７１ａが大径に形成され、筒状容器７３の端部を覆う径に形成されている。小径部７１ｂは筒状容器７３の内周に嵌合する程度の大きさとされている。
【００２８】
上記構成とすることにより、本実施の形態に係るサイクロン集塵装置７では、排気筒７４周辺の空間が遠心力作用により塵埃を分離する塵埃分離室７ａとして構成され、排気筒７４端部に形成された分離部７５と筒状容器７３の端部との間に形成される空間が塵埃収集室７ｂとして構成される。したがって、この実施の形態に係るサイクロン集塵装置７では、筒状容器７３内において塵埃分離室７ａと塵埃収集室７ｂとが筒状容器７３の軸方向に配置されることになるので筒状容器７３の径方向寸法を小さくすることができる。
【００２９】
本サイクロン集塵装置７を備えたアップライト型電気掃除機は使用時において次のように動作する。
運転スイッチを操作すると、モータ２３が運転され、吸引ファン２４が駆動される。これにより、吸込口１４から塵埃とともに空気が吸引される。吸引された空気は、連結口１５を介してサイクロン集塵装置７の吸気口７２に導かれ、吸気口７２から塵埃分離室７ａに導かれる。塵埃分離室７ａに吸入された塵埃を含む空気は、筒状容器７３の半円筒壁７３ａ部の壁面に沿うように導入されるため直ちに旋回される（図１１参照）。空気中に含まれる塵埃は、空気が塵埃分離室７ａで旋回されることにより遠心分離作用により分離される。分離された塵埃は、塵埃分離室７ａの壁面付近に集まるが塵埃収集室７ｂが負圧になるため、分離部７５と筒状容器７３との環状空間７５ａを通って、塵埃収集室７ｂに集められる。
【００３０】
分離部７５は、末広がりの形状とされていることにより、塵埃収集室７ｂを負圧にするとともに、塵埃分離室７ａにおける空気の旋回流の影響により塵埃収集室７ｂで空気の旋回流が発生することを抑制している。これにより塵埃収集室７ｂから塵埃分離室７ａへ塵埃が舞い戻ることが防止されている。
塵埃分離室７ａで塵埃が除去された空気は、排気筒７４の排気孔８１及び排気筒７４の排気出口部７１、排気出口部７１に設けられたフィルター７８を経由し、掃除機本体２の収納室２２を経由した後、掃除機本体２の側面に設けられたスリット２８を通って外部に排出される。
【００３１】
上記のように、塵埃分離室７ａで塵埃が分離された空気が排気孔８１を通過する動作において、排気孔８１が半円筒壁７４ａ、７４ｂ部を連結する平面壁７４ｃ、７４ｄ部分のみに設けられているため、塵埃の移動する方向と排気孔８１を構成する丸孔８１ａの孔方向とが一致せず塵埃が吸い込まれにくくなっている（図１２参照）。因みに、半円筒壁７４ａ、７４ｂ部に排気孔８１を構成する丸孔８１ａを成形した場合は、排気筒７４を成形する割り型を筒状容器７３の軸と直角な平面において４方向に分割した型とし、各型の割り面に丸孔８１ａを構成する突起部を形成することになる。この場合、割り型の製作費が高価となる。また、排気孔８１を形成する丸孔８１ａは、半円筒壁７４ａ、７４ｂ部に形成される丸孔８１ａの孔方向と平面壁７４ｃ、７４ｂ部に形成される丸孔８１ａの孔方向とが直交する形となる。したがって、この場合には塵埃の流れと半円筒壁部に形成される丸孔８１ａの孔方向とが交差することになり、丸孔８１ａから塵埃が吸い込まれ易くなる。このため排気出口部７１に設けられたフィルター７８が目詰まりを起こし易くなるという問題が発生するが、本実施の形態のようにするとこのような問題を回避することができる。
【００３２】
サイクロン集塵装置７における塵埃収集室７ｂに貯まった塵埃は次のようにして棄てられる。
まず、図７に示すように、サイクロン集塵装置７を床用吸込具１から取り外す。次いで、図１３に示されているように、筒状容器７３の端部に嵌め込まれた排気筒７４及び分離部７５の一体成形品を取り外し、図１４に図示されているように筒状容器７３の塵埃収集室７ｂに溜まっている塵埃を取り出す。以上のようにしてサイクロン集塵装置７に溜められた塵埃を排気することができる。
【００３３】
本実施の形態に係るサイクロン集塵装置７を用いたアップライト型電気掃除機は以上のように構成されているので、次のような効果を奏することができる。
（１）  塵埃分離室を構成する筒状容器７３と、筒状容器７３内に旋回空気流を形成するように空気を導入する吸気口７２と、筒状容器７３内の中心部に配設された筒状の排気筒７４と、排気筒７４の筒状壁に設けられた排気孔８１とを備え、筒状容器７３の筒状壁は、軸線に直角な一断面における一方向が最長寸法であり、この方向と直交する方向が最短寸法である扁平形状とされてなるので、筒状容器７３が扁平になる。したがって、筒状容器７３を掃除機本体２に組み込む場合に掃除機本体２の外径寸法を小さくしたり、床用吸込具１に組み込む場合における床用吸込具１の高さを低くしたりすることができ、掃除機の小型化又はコンパクト化を図ることができる。また、塵埃収集室７ｂの容積を十分に確保することができる。
【００３４】
（２）  排気筒７４を筒状容器７３の一端側から中間部に至るように配置し、さらに、排気筒７４を、筒状容器７３の中間部側が末広がり状に広げられ、広げられた端部（分離部７５）と筒状容器７３の内壁面との間に環状空間７５ａを形成するように形成し、筒状容器７３の排気筒７４の末広がり側に塵埃収集用の空間を形成しているので、排気筒７４の末広がり側端部（分離部７５）を境として、排気筒７４側に空気中の塵埃を遠心分離する塵埃分離室７ａが形成され、末広がり側に塵埃収集室７ｂが形成される。したがって、塵埃分離室７ａと塵埃収集室７ｂとが扁平状に形成された筒状容器７３の筒状壁内において軸方向に並べて形成されることになり、サイクロン集塵装置をより一層扁平に形成することが可能となる。
また、排気筒７４の端部において末広がり状に形成された分離部７５が形成されているので、塵埃収集室７ｂから塵埃分離室７ａへの塵埃の舞い戻りが抑制される。
【００３５】
（３）  また、筒状容器７３は、具体的には、対向する半円筒壁７３ａ、７３ｂ部間を平面壁７３ｃ、７３ｄで結合した形状とされているので、形状が単純化されて製作が容易になる。また、半円筒壁７３ａ、７３ｂ部において空気が旋回され、空気に遠心力が有効に作用するため、扁平形状でありながら塵埃を効率よく遠心分離させることが可能となる。
【００３６】
（４）  また、排気筒７４を、筒状容器７３の筒状壁面との間に略一定寸法の間隔を有する筒状形状とし、この排気筒７４の筒状壁における最長寸法方向の中心線を中心とする所定幅部分に複数の丸孔８１ａを備えた排気孔８１を形成しているので、筒状容器７３を樹脂成形品とするための成形型を最短寸法方向の二つ割りの割り型とすることができる。したがって、この型の割り面上に最短寸法方向に突出した排気孔８１成形部分を形成することで、容易に排気孔８１を形成する全ての丸孔８１ａを最短寸法方向に向けることができる。
（５）  また、吸気口７２を、筒状容器７３に流入される空気が最短寸法方向に導入されるように筒状容器７３の筒状壁に設けられているので、筒状容器７３に流入された塵埃を含む空気が直ちに遠心分離作用を受けるため、塵埃が排気孔８１に吸い込まれる前に分離される割合が大きくなる。したがって、排気筒７４の排気出口部７１などに設けられるフィルター７８の目詰まりを緩和することができる。
因みに、図１２のように、筒状容器７３に流入する空気が最長寸法方向に向けて導入される場合には、導入直後の空気に対しては遠心分離力、塵埃が排気孔８１に流入され易い。したがって、排気出口部７１などに設けられるフィルター７８の目詰まりを起し易くなる。
【００３７】
（６）  また、本実施の形態に係るアップライト型電気掃除機は、サイクロン集塵装置７の収納部分を小型化又はコンパクト化することが可能になり、取り扱い性が向上する。
【００３８】
（７）  また、本実施の形態に係るアップライト型電気掃除機は、上記のような掃除機用サイクロン集塵装置７を、筒状容器７３の軸を水平方向として床用吸込具１の組み込んでいるので、床用吸込具１の高さを低くすることが可能になり、保管状態におけるアップライト型電気掃除機の安定性が良好となる。特に、筒状容器７３内において、塵埃分離室７ａと塵埃収集室７ｂとが筒状容器の軸方向に配置されることになるので筒状容器７３の径方向寸法を小さくすることができる。
【００３９】
【発明の効果】
この発明は、以上のように構成されているため、筒状容器が扁平になる。したがって、サイクロン集塵装置を掃除機本体に組み込む場合に掃除機本体の外径寸法を小さくしたり、床用吸込具に組み込む場合における床用吸込具の高さを低くしたりすることができ、掃除機の小型化又はコンパクト化を図ることができる。また、塵埃収集室の容積を十分に確保することができる。
【図面の簡単な説明】
【図１】本実施の形態に係る掃除機用サイクロン集塵装置の正面図である。
【図２】同電気掃除機の保管時の側面図である。
【図３】同電気掃除機の保管時の正面図である。
【図４】同電気掃除機の保管時の平面図である。
【図５】同電気掃除機の、把手パイプを取り外してハンディタイプとしたときの縦断面図である。
【図６】同電気掃除機の、把手パイプを取り外してハンディタイプとしたときの縦断面図である。
【図７】同電気掃除機の、把手パイプを取り外してハンディタイプとしたときの、サイクロン集塵装置取外し時の側面図である。
【図８】同電気掃除機のサイクロン集塵装置を最短寸法方向に切断した断面図である。
【図９】同電気掃除機のサイクロン集塵装置を最長寸法方向に切断した断面図である。
【図１０】同電気掃除機の床用吸込具の水平断面図である。
【図１１】同掃除機用サイクロン集塵装置における排気孔の説明図である。
【図１２】同掃除機用サイクロン集塵装置における排気孔の参考説明図である。
【図１３】同掃除機用サイクロン集塵装置から塵埃を棄てるために排気筒及び分離部を取り外す途中の状態図である。
【図１４】図１３において排気筒及び分離部が完全に取り外された状態図である。
【符号の説明】
１          床用吸込具
２          掃除機本体
７          サイクロン集塵装置
７ａ      塵埃分離室
７ｂ      塵埃収集室
１７      連結管
７１      排気出口部
７１ａ  大径部
７１ｂ  小径部
７２      吸気口
７３      筒状容器
７３ａ  半円筒壁
７３ｃ  平面壁
７４      排気筒
７４ａ  半円筒壁
７４ｃ  平面壁
７５      分離部
７５ａ  環状空間
７８      フィルター
８１      排気孔
８１ａ  丸孔
【図１】
2004147762.tif 000003
【図２】
2004147762.tif 000004
【図３】
2004147762.tif 000005
【図４】
2004147762.tif 000006
【図５】
2004147762.tif 000007
【図６】
2004147762.tif 000008
【図７】
2004147762.tif 000009
【図８】
2004147762.tif 000010
【図９】
2004147762.tif 000011
【図１０】
2004147762.tif 000012
【図１１】
2004147762.tif 000013
【図１２】
2004147762.tif 000014
【図１３】
2004147762.tif 000015
【図１４】
2004147762.tif 000016